(57)【要約】【課題】  この発明は、範囲指定された部分をプレビュー画面として表示させ、プレビュー画面上で編集することが可能となる画像形成装置を提供することを目的とする。【解決手段】  原稿画像を読み取り、読み取った原稿画像から特定色によって範囲指定された部分を認識し、認識した範囲指定部分を位置データと画像データとからなるオブジェクトデータとして記憶する第１手段、第１手段によって記憶されたオブジェクトデータに基づいて、オブジェクトの画像をタッチパネル付き表示機にプレビュー画面として表示させる第２手段、プレビュー画面上で、タッチパネルを利用してオブジェクトを編集させるための第３手段、ならびに編集後のオブジェクトを印刷する第４手段を備えている。【選択図】  図１
2006126401.tif 000002
【特許請求の範囲】
【請求項１】
原稿画像を読み取り、読み取った原稿画像から特定色によって範囲指定された部分を認識し、認識した範囲指定部分を位置データと画像データとからなるオブジェクトデータとして記憶する第１手段、
第１手段によって記憶されたオブジェクトデータに基づいて、オブジェクトの画像をタッチパネル付き表示機にプレビュー画面として表示させる第２手段、
プレビュー画面上で、タッチパネルを利用してオブジェクトを編集させるための第３手段、ならびに
編集後のオブジェクトを印刷する第４手段、
を備えていることを特徴とする画像形成装置。
【請求項２】
第３手段は、オブシェクトの移動、オブジェクトの拡大縮小およびオブジェクトの濃度変更のうちの任意の１つまたは任意の組合せを行うことが可能であることを特徴とする請求項１に記載の画像形成装置。
【発明の詳細な説明】
【技術分野】
【０００１】
この発明は、複写機、デジタル複合機等のスキャナ機能を備えた画像形成装置に関する。
【背景技術】
【０００２】
複写機として、原稿内の必要部分のみを特定色の色ペンで囲むことにより範囲指定し、範囲指定された部分のみを複写する機能を備えたものがある（特開２００２−４０８７４号公報参照）。
【０００３】
ところで、範囲指定された部分をプレビュー画面として表示させ、プレビュー画面上で編集（位置変更、サイズ変更、濃度変更等）できれば、ユーザにとって便利である。
【特許文献１】特開２００２−５７８５５号公報
【特許文献２】特開２００２−４０８７４号公報
【特許文献３】特開平８−２９３０１７号公報
【発明の開示】
【発明が解決しようとする課題】
【０００４】
この発明は、範囲指定された部分をプレビュー画面として表示させ、プレビュー画面上で編集することが可能となる画像形成装置を提供することを目的とする。
【課題を解決するための手段】
【０００５】
請求項１に記載の発明は、原稿画像を読み取り、読み取った原稿画像から特定色によって範囲指定された部分を認識し、認識した範囲指定部分を位置データと画像データとからなるオブジェクトデータとして記憶する第１手段、第１手段によって記憶されたオブジェクトデータに基づいて、オブジェクトの画像をタッチパネル付き表示機にプレビュー画面として表示させる第２手段、プレビュー画面上で、タッチパネルを利用してオブジェクトを編集させるための第３手段、ならびに編集後のオブジェクトを印刷する第４手段を備えていることを特徴とする画像形成装置。
【０００６】
請求項２に記載の発明は、請求項１に記載の画像形成装置において、第２手段は、オブシェクトの移動、オブジェクトの拡大縮小およびオブジェクトの濃度変更のうちの任意の１つまたは任意の組合せを行うことが可能であることを特徴とする。
【発明の効果】
【０００７】
この発明によれば、範囲指定された部分をプレビュー画面として表示させ、プレビュー画面上で編集することが可能となる。
【発明を実施するための最良の形態】
【０００８】
以下、図面を参照して、この発明を複写機に適用した場合の実施例について説明する。
【実施例１】
【０００９】
図１は、デジタル複写機の概略構成を示している。
【００１０】
デジタル複写機は、スキャナ部１０と、画像処理部を含む制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ（メモリ）等を備えている。
【００１１】
画像形成部４０は、レーザスキャンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネル付きの液晶表示部５２と、ＬＥＤ表示部５３とを備えている。
【００１２】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１３】
この複写機は、ＨＤＤ３０に格納された画像データのうち、原稿に特定の色で囲まれた部分（範囲指定された部分）のみの画像データを抽出して、印刷させる機能を備えている。原稿に特定の色で囲まれた部分を認識するための処理は、特開２００２−４０８７４号公報に開示されているように周知であるので、その説明を省略する。このような複写モードを切り抜き複写モードということにする。
【００１４】
また、この複写機は、切り抜き複写モードにおいて、原稿に特定の色で囲まれた部分（範囲指定された部分）をプレビュー画面としてタッチパネル付きの液晶表示部５２に表示させ、プレビュー画面上で編集させる機能を備えている。切り抜き複写モードを実行させるために、キー入力部５１には、切り抜き複写キーが設けられている。
【００１５】
図２は、切り抜き複写モード時の複写機の動作を示している。
【００１６】
原稿には、必要な部分を範囲指定するために、必要な部分が特定の色で囲まれている。例えば、図３に示すように、原稿中の”Ａ”、”Ｂ”、”Ｃ”が特定の色で囲まれている。
【００１７】
原稿が原稿送り装置（ＤＦ）１１にセットされた後に、ユーザによって切り抜き複写キーが押されると（ステップＳ１）、原稿の読み取りを行う（ステップＳ２）。
【００１８】
次に、読み取られた画像から、範囲指定された部分を認識する（ステップＳ３）。範囲指定された各部分を、位置データと画像データとからなるオブジェクトデータとしてメモリに記憶する（ステップＳ４）。また、メモリに記憶されたオブジェクトデータに基づいて、各オブジェクトの画像をタッチパネル付きの液晶表示部５２にプレビュー画面１００として表示させるとともに、液晶表示部５２に各種編集ボタンを表示する（ステップＳ５）。
【００１９】
図４は、液晶表示部５２に表示されたプレビュー画面１００および各種編集ボタンを示している。編集ボタンとしては、オブジェクトの倍率を変更するための拡大ボタン１０１および縮小ボタン１０２、オブジェクトの濃度を変更するための高濃度ボタン１０３および低濃度ボタン１０４、オブジェクトの位置を変更させるための移動ボタン１０５ならびにオブジェクトを削除するための削除ボタン１０６がある。
【００２０】
次に、オブジェクトの編集処理を行う（ステップＳ６）。この編集処理は、ユーザ操作に基づいて行われる。
【００２１】
例えば、オブジェクトを移動させる場合には、図５に示すように、移動させたいオブジェクト（この例ではオブジェクトＡ）を選択する。つまり、タッチパネルのオブジェクトＡに対応する部分を押す。選択されたオブジェクトには、選択されたことが分かるように例えば、囲み線が表示される。次に、移動ボタン１０５を押す。
【００２２】
そして、図６に示すように、移動先の位置を選択する。つまり、タッチパネルのオブジェクトＡの移動先位置に対応する部分を押す。選択された移動先の位置には、選択されたことが分かるように例えば、破線の囲み線が表示される。移動先が選択されると、図７に示すように、移動先位置にオブジェクトＡが移動する。つまり、オブジェクトＡの位置データが移動先の位置を表す位置データに変更せしめられる。
【００２３】
オブジェクトを拡大したい場合には、拡大したいオブジェクトを選択した後、拡大ボタン１０１を押せばよい。これにより、当該オブジェクトの画像データに対して拡大処理が施され、当該オブジェクトの画像データが変更せしめられ、プレビュー画面上において当該オブジェクトが拡大表示される。
【００２４】
縮小、濃度変更についても同様な操作により、オブジェクトの画像データが変更せしめられる。
【００２５】
オブジェクトを削除したい場合には、削除したいオブジェクトを選択した後、削除ボタン１０６を押せばよい。この場には、当該オブジェクトのデータは削除される。
【００２６】
スタートボタンが押されると（ステップＳ７）、メモリに記憶されているオブジェクトに基づいて印刷用画像データが生成され、印刷用画像データが印刷される（ステップＳ８）。つまり、編集後のオブジェクトが印刷される。
【図面の簡単な説明】
【００２７】
【図１】デジタル複写機の概略構成を示すブロック図である。
【図２】切り抜き複写モード時の複写機の動作を示すフローチャートである。
【図３】原稿の一例を示す模式図である。
【図４】液晶表示部５２に表示されたプレビュー画面および各種編集ボタンを示す模式図である。
【図５】移動させたいオブジェクト（この例ではオブジェクトＡ）が選択された様子を示す模式図である。
【図６】移動先の位置が選択された様子を示す模式図である。
【図７】移動先の位置にオブジェクト（この例ではオブジェクトＡ）が移動せしめられた状態を示す模式図である。
【符号の説明】
【００２８】
１０  スキャナ部
２０  制御部
３０  ハードディスク（ＨＤＤ）
４０  画像形成部
５０  ユーザ操作部
【図１】
2006126401.tif 000003
【図２】
2006126401.tif 000004
【図３】
2006126401.tif 000005
【図４】
2006126401.tif 000006
【図５】
2006126401.tif 000007
【図６】
2006126401.tif 000008
【図７】
2006126401.tif 000009